(57)【特許請求の範囲】
【請求項１】
壁パネルの係合片の挿入が可能で圧着片を有する互いに直交する二つの挿入部と、前記二つの挿入部の間に形成させた凹部とを備え、この凹部が、上記圧着片と共に弾性力により壁パネルの係合片を固定する楔状押圧片を有する羽部分と楔状押圧片を有する根本部とを備えたインナー目地を有し、前記圧着片を有する二つの挿入部及び凹部は一体に構成されている長尺体のコーナー支柱。
【請求項２】
請求項１のコーナー支柱を用いて組み立てられた設備ユニット。
【請求項３】
設備ユニットが浴室ユニットである、請求項２の設備ユニット。
【発明の詳細な説明】
【０００１】
【発明の属する技術分野】
本発明は、一般住宅・事務所等に設置される浴室ユニット、トイレ、シャワールーム、脱衣室、間仕切等の設備ユニットに利用されるコーナー支柱及びこれを用いた設備ユニットに関する。
【０００２】
【従来の技術】
浴室ユニット等の設備ユニットに利用される従来の金属製コーナー支柱を図５（Ａは斜視図、Ｂは平面図）に示す。これは端部に押圧機能をもつ圧着片（６ａ、６ｂ）を有する互いに直交する二つの挿入部（７ａ、７ｂ）を備える長尺体のコーナー支柱である。また、従来のコーナー支柱を用いて浴室ユニットの壁パネルを組み立てた際のコーナー部を図６に示す。従来の浴室ユニットのコーナー部では、図６に示すように現地組立作業において防水床の隅部１１にコーナー支柱３を立て、コーナー支柱３の一方の挿入部に壁パネル４ａの裏面端部に縦方向に取り付けた断面略Ｕ字状の金属製係合片５ａ（金属製係合片５ａの片面に予め防水テープ１２ａを貼付しておく）をコーナー支柱３に挿入し、固定する。更に、コーナー支柱３の他方の挿入部に壁パネル４ｂの裏面端部に縦方向に取り付けた断面略Ｕ字状の金属製係合片５ｂを同様にして挿入し固定する。そののち、互いに直交する壁パネル４ａと壁パネル４ｂの隙間にシリコン等のコーキング材１０を充填していた。
【０００３】
【発明が解決しようとする課題】
しかし、上記方法では複数本のコーナー支柱（通常は、４本以上が必要）の立設のたびに防水テープを貼付しなければならない。また、壁パネルは通常、高さが約１ｍ、幅が約２ｍと大きいため反りを生じることがあり、反りが生じると互いに直交する壁パネルのおもて面隅部に形成された隙間が不均一となり、したがって充填されたコーキング材の幅が不均一で見栄えが悪くなる問題（それを解消するための組立作業のやり直しの問題）がしばしば生じていた。
本発明は、上記問題の解決、すなわち、現地組立作業において防水テープの貼付作業を要さず、直交する壁パネルのおもて面隅部の隙間に充填されるコーキング材幅が均一で見栄えの良好な浴室ユニットの提供を可能にするコーナー支柱の提供を目的とする。
【０００４】
【課題を解決するための手段】
本発明は、先ず、長尺体のコーナー支柱で、そのコーナー支柱は壁パネルの係合片（５ａ、５ｂ）の挿入が可能で圧着片（６ａ、６ｂ）を有する互いに直交する二つの挿入部（７ａ、７ｂ）と、前記二つの挿入部の間に形成させた凹部９とを有し、前記圧着片を有する二つの挿入部及び前記凹部は一体に構成されている長尺体のコーナー支柱である。
ここで、前記二つの挿入部の間に設けられる凹部９は、後述するインナー目地の凸部と嵌合する部分となる。
【０００５】
本発明のコーナー支柱の使用に当たっては、弾力性を有し、その形状は略矢印形状で長尺体のインナー目地の使用が好適である。
【０００６】
また、本発明は前記コーナー支柱を用いて組み立てられた設備ユニットにも関する。設備ユニットとしては、浴室ユニット、トイレ、シャワールーム、脱衣室のほか住宅・事務所の種々の間仕切等がある。
浴室ユニットにおいては、防水床のコーナー部に本発明のコーナー支柱を立て、これにインナー目地を嵌合させ、平面部にはフラット支柱を立てて、壁パネル及びドアをはめ込み、固定させ、上部には天井パネルを載置し、浴室ユニット内は一方に浴槽、他方に洗い場を設ける。そして、給水装置、給湯装置、照明装置、換気装置、排水路等の付帯設備を設けて完成する。
【０００７】
【発明の実施の形態】
図１は、本発明のコーナー支柱の一例で、Ａは斜視図、Ｂは平面図である。本発明のコーナー支柱は図１に示されるように長尺体で、押圧機能をもつ圧着片（６ａ、６ｂ）を有する互いに直交する二つの挿入部（７ａ、７ｂ）と、この二つの挿入部の間で４５度に交わる方向に形成された凹部９とを有し、これは通常一体に構成されている。また、本発明のコーナー支柱にはビス固定用の穴や、ドア枠取付金具用の穴を設けることができる。
【０００８】
コーナー支柱の材質は、浴室ユニットの強度を考慮すると金属製が好適で、金属としては亜鉛メッキ鋼板、アルミニウム、ステンレス等が使用できる。これら金属製コーナー支柱はロールフォーミング等の方法で製造することができる。なお、金属と同等な強度をもつものであれば材質は金属に限定されず、エンジニアリング・プラスチック等であってもよい。
【０００９】
図２は、本発明のコーナー支柱の他の例である。凹部の背面は図１のような凸部を形成しているのではなく、防水床の隅部に適合する形状である。
【００１０】
図３は、本発明のコーナー支柱に用いられるインナー目地（長尺体）の水平断面図である。このインナー目地８は、弾力性を有し、図３に示すように水平断面形状は略矢印形状である。矢印の先端部分１６は平面状でインナー目地表面部を形成し、矢印の根本部分１４はコーナー支柱の凹部との嵌合部を形成し、矢印の羽部分１５は壁パネルの係合片との接触部を形成し、かつ、根本部分及び羽部分には楔状押圧片がある。ここで楔状押圧片は、壁パネルがコーナー支柱から脱落するのを阻止する役目をもっている。インナー目地の材質は、弾力性及びシール機能を有する材料、例えば、軟質塩化ビニル、ポリエチレン等の合成樹脂や天然ゴム、合成ゴム等の材料から選ぶことができる。図３に示したような形状のインナー目地（長尺体）は押出し成形により製造することができる。
【００１１】
図４は本発明のコーナー支柱を用いて組み立てられた浴室ユニットのコーナー部の平面図である。壁パネル（４ａ、４ｂ）をコーナー支柱に固定するには、現地組立作業において先ず、コーナー支柱に図４に示すようにインナー目地をコーナー支柱の凹部にはめ込み嵌合させる。次に、このコーナー支柱を防水床１の隅部１１に図４に示すように立て、コーナー支柱２の一方の挿入部に壁パネル４ａの裏面端部に縦方向に取り付けた断面略Ｕ字状の金属製係合片５ａを押し込み固定する。更に、コーナー支柱２の他方の挿入部に壁パネル４ｂの裏面端部に縦方向に取り付けた断面略Ｕ字状の金属製係合片５ｂを同様にして押し込み固定する。コーナー支柱２の挿入部の背面に設けたビス用穴を利用してコーナー支柱２を防水床の立上り壁に固定（ビス止めやボルト・ナット固定等）する。
このような構造であるので、壁パネルの係合片（５ａ、５ｂ）は圧着片（６ａ、６ｂ）の押圧機能とインナー目地材の弾力性によってコーナー支柱に強固に固定される。
【００１２】
【発明の効果】
請求項１のコーナー支柱は、これを利用すれば、防水テープの貼付作業を要さない。したがって、従来よりも短い時間で、浴室ユニット、トイレ、シャワールーム、脱衣室等の設備ユニットや間仕切りを組み立てることができる。また、種々のタイプの壁パネル（例えば、マベラス壁タイプ、ジュエロン壁タイプ、塩ビ鋼板壁タイプ、ＰＥＴ鋼板壁タイプ等）に適用可能である。
請求項２の設備ユニット又は請求項３の浴室ユニットは、直交する壁パネルのおもて面隅部の隙間に充填されるコーキング材幅が均一であるので見栄えが良好となる。
【図面の簡単な説明】
【図１】本発明の一実施例のコーナー支柱で、Ａは斜視図、Ｂは平面図である。
【図２】本発明の他の実施例のコーナー支柱で、Ａは斜視図、Ｂは平面図である。
【図３】本発明のコーナー支柱に用いられるインナー目地の水平断面図である。
【図４】本発明のコーナー支柱を用いて組み立てられた浴室ユニットのコーナー部の平面図である。
【図５】従来のコーナー支柱で、Ａは斜視図、Ｂは平面図である。
【図６】従来のコーナー支柱を用いて組み立てられた浴室ユニットのコーナー部の平面図である。
【符号の説明】
１：防水床                        ２、３：コーナー支柱
４ａ、４ｂ：壁パネル              ５ａ、５ｂ：係合片
６ａ、６ｂ：圧着片                ７ａ、７ｂ：挿入部
８：インナー目地                  ９：凹部
１０：コーキング材              １１：防水床の隅部
１２ａ、１２ｂ：防水テープ      １３：ビス
１４：矢印の根本部分（楔状押圧片あり）
１５：矢印の羽部分（楔状押圧片あり）
１６：矢印の先端部分（インナー目地表面部）
【図１】
0003856175.tif 000002
【図２】
0003856175.tif 000003
【図３】
0003856175.tif 000004
【図４】
0003856175.tif 000005
【図５】
0003856175.tif 000006
【図６】
0003856175.tif 000007